(57)【要約】【課題】押釦部材に対する押圧操作の方向（押圧力の方向）と押釦部材の可動方向とが一致し、良好な操作感覚が得られ、また、装置構成を大型化することがなく、製造も容易であるスイッチ装置を提供する。【解決手段】押圧型スイッチ１を備えたスイッチ基材２と、押圧型スイッチ１に対向して配置された押釦部材３と、押釦部材３の押圧操作による押圧型スイッチ１側への移動を可能として該押釦部材３を複数の方向から支持する複数の可撓性を有する支持体４とを備え、複数の支持体４は、押釦部材３の中心回りに等角度間隔に配置されている。【選択図】図１
2007194091.tif 000002
【特許請求の範囲】
【請求項１】
押圧型スイッチを備えたスイッチ基材と、
押圧型スイッチに対向して配置された押釦部材と、
前記押釦部材の押圧操作による前記押圧型スイッチ側への移動を可能として、該押釦部材を複数の方向から支持する複数の可撓性を有する支持体と
を備え、
前記複数の支持体は、前記押釦部材の中心回りに等角度間隔に配置されている
ことを特徴とするスイッチ装置。
【請求項２】
前記複数の支持体は、前記押釦部材の押圧操作による移動方向に湾曲した湾曲部を有している
ことを特徴とする請求項１記載のスイッチ装置。
【発明の詳細な説明】
【技術分野】
【０００１】
本発明は、種々の電子機器において押釦スイッチとして使用されるスイッチ装置に関する。
【背景技術】
【０００２】
従来、種々の電子機器においては、特許文献１に記載されているように、押釦スイッチとして、スイッチ装置が使用されている。このようなスイッチ装置は、図３に示すように、押圧型スイッチ１０１を備えたスイッチ基材１０２と、押圧型スイッチ１０１に対向して配置された押釦部材１０３とを有して構成されている。
【０００３】
押釦部材１０３は、図４に示すように、この押釦部材１０３の一方向に配設された可撓性を有するヒンジ部材１０４によって支持されている。すなわち、ヒンジ部材１０４は、基端側をスイッチ基材１０２に対する固定部に支持されており、先端側において、押釦部材１０３に連続している。
【０００４】
このスイッチ装置において、押釦部材１０３が押圧型スイッチ１０１側に押圧操作されると、ヒンジ部材１０４が弾性的に変形し、押釦部材１０３は、押圧型スイッチ１０１側に移動する。この押釦部材１０３の押圧型スイッチ１０１側には、プランジャ突起が形成されており、押圧型スイッチ１０１側に移動した押釦部材１０３は、プランジャ突起によって押圧型スイッチ１０１を押圧する。
【０００５】
押圧型スイッチ１０１は、押圧されることによって接触される回路パターン及び可動接点を有して構成されており、押釦部材１０３のプランジャ突起によって押圧されることにより、回路パターンと可動接点とが接触され、スイッチ操作がなされる。
【０００６】
【特許文献１】特開平６−２９０６８０号公報
【発明の開示】
【発明が解決しようとする課題】
【０００７】
ところで、前述したような従来のスイッチ装置においては、ヒンジ部材１０４は、平坦な形状であるとともに、押釦部材１０３を一方向から支持するようになっている。そのため、押釦部材１０３に対する押圧操作の方向（押圧力の方向）と押釦部材１０３の可動方向とが一致しない。押釦部材１０３は、ヒンジ部材１０４の基端部を支点として回動することによって移動するからである。そのため、このようなスイッチ装置においては、押圧型スイッチ１０１が操作された感触が押釦部材１０３に伝わり難く、良好な操作感覚が得られない。
【０００８】
このような問題を解決するためには、ヒンジ部材１０４を長くすることが考えられるが、ヒンジ部材１０４を長くすると、スイッチ装置が大型化してしまうので好ましくない。
【０００９】
また、従来のスイッチ装置においては、組立て時に、押釦部材１０３及びヒンジ部材１０４を変形させ易いという問題もある。
【００１０】
そこで、本発明は、前述の実情に鑑みて提案されるものであって、押釦部材に対する押圧操作の方向（押圧力の方向）と押釦部材の可動方向とが一致し、良好な操作感覚が得られ、また、装置構成を大型化することがなく、製造も容易であるスイッチ装置を提供することを目的とする。
【課題を解決するための手段】
【００１１】
上記課題を解決するため、本発明は、以下の構成のいずれか一を有するものである。
【００１２】
〔構成１〕
本発明に係るスイッチ装置は、押圧型スイッチを備えたスイッチ基材と、押圧型スイッチに対向して配置された押釦部材と、押釦部材の押圧操作による押圧型スイッチ側への移動を可能として該押釦部材を複数の方向から支持する複数の可撓性を有する支持体とを備え、複数の支持体は、押釦部材の中心回りに等角度間隔に配置されていることを特徴とするものである。
【００１３】
〔構成２〕
本発明に係るスイッチ装置は、構成１を有するスイッチ装置において、複数の支持体は、押釦部材の押圧操作による移動方向に湾曲した湾曲部を有していることを特徴とするものである。
【発明の効果】
【００１４】
本発明に係るスイッチ装置においては、構成１を有することにより、複数の支持体が押釦部材の中心回りに等角度間隔に配置されているので、押釦部材に対する押圧操作の方向（押圧力の方向）と押釦部材の可動方向とが一致し、良好な操作感覚が得られる。また、装置構成が大型化することがなく、製造工程中の破損の虞れがないので、製造が容易である。
【００１５】
また、本発明に係るスイッチ装置においては、構成２を有することにより、複数の支持体が押釦部材の押圧操作による移動方向に湾曲した湾曲部を有しているので、押釦部材を移動させた際の応カが支持体の支点に集中せず、分散させることができ、良好な耐久性を維持することができる。
【００１６】
すなわち、本発明は、押釦部材に対する押圧操作の方向（押圧力の方向）と押釦部材の可動方向とが一致し、良好な操作感覚が得られ、また、装置構成を大型化することがなく、製造も容易であるスイッチ装置を提供することができるものである。
【発明を実施するための最良の形態】
【００１７】
以下、本発明を実施するための最良の形態について図面を参照して説明する。
【００１８】
図１は、本発明に係るスイッチ装置の構成を示す斜視図である。
【００１９】
このスイッチ装置は、図１に示すように、押圧型スイッチ１を備えたスイッチ基材２と、押圧型スイッチ１に対向して配置された押釦部材３とを有して構成されている。スイッチ基材２は、上シート、スペーサ及び下シートが重ね合わされて形成されている。押圧型スイッチ１は、押圧されることによって接触される回路パターン及び可動接点を有して構成されている。
【００２０】
図２は、本発明に係るスイッチ装置の構成を示す断面図である。
【００２１】
そして、押釦部材３は、図２に示すように、この押釦部材３の周囲に配設された可撓性を有する複数のヒンジ部材４によって支持されている。すなわち、各ヒンジ部材４は、それぞれの基端側をスイッチ基材２に対する固定部５に支持されており、それぞれの先端側において、押釦部材３に連続している。
【００２２】
各ヒンジ部材４は、可撓性を有し、押釦部材３の押圧操作による押圧型スイッチ１側への移動を可能として、押釦部材３を支持している。これら複数の支持体４は、押釦部材３の中心回りに等角度間隔に配置されている。
【００２３】
また、複数の支持体４は、押釦部材３の押圧操作による移動方向に湾曲した湾曲部４ａを有している。この湾曲部４ａは、支持体４の基端側より、押釦部材３に対する押圧方向の反対側（スイッチ基材２より離間する方向）に湾曲し、そして、押釦部材３に対する押圧方向（スイッチ基材２に接近する方向）に湾曲して、押釦部材３に至るという略Ｓ字状の形状を有して形成されている。
【００２４】
このスイッチ装置において、押釦部材３が押圧型スイッチ１側に押圧操作されると、各ヒンジ部材４が弾性的に変形し、押釦部材３は、押圧型スイッチ１側に移動する。この押釦部材３の押圧型スイッチ１側には、プランジャ突起３ａが形成されており、押圧型スイッチ１側に移動した押釦部材３は、プランジャ突起３ａによって押圧型スイッチ１を押圧する。押圧型スイッチ１は、押釦部材３のプランジャ突起３ａによって押圧されることにより、回路パターンと可動接点とが接触され、スイッチ操作がなされる。
【００２５】
このように押釦部材３が押圧操作されたとき、各支持体４は、湾曲部４ａを有しているので、各湾曲部４ａが変形することにより押釦部材３の移動を可能とし、押し圧に抵抗する力が弱いので、押釦部材３に対する押圧操作を容易とする。また、押圧操作の応力が、各支持体４の支点部分（基端側及び先端側）に集中することがなく、分散される。そのため、押釦部材１の位置が安定するとともに、押釦部材１及び各支持体４が塑性変形し難くなっている。さらに、各支持体４は、湾曲部４ａを有しているので、スイッチ装置を大型化することなく、十分な長さが確保されている。
【００２６】
なお、このスイッチ装置において、押釦部材３、各支持体４及びスイッチ基材２に対する固定部５は、合成樹脂材料を用いて、射出成形によって一体的に構成することができる。
【００２７】
このスイッチ装置は、デジタルスチールカメラのシャッタ釦や、デジタルビデオカメラの撮影釦などに使用して好適であり、また、その他の種々の電子機器における種々の押釦スイッチとして使用して好適である。
【図面の簡単な説明】
【００２８】
【図１】本発明に係るスイッチ装置の構成を示す斜視図である。
【図２】本発明に係るスイッチ装置の構成を示す断面図である。
【図３】従来のスイッチ装置の構成を示す斜視図である。
【図４】従来のスイッチ装置の構成を示す断面図である。
【符号の説明】
【００２９】
１  押圧型スイッチ
２  スイッチ基材
３  押釦部材
４  支持体
【図１】
2007194091.tif 000003
【図２】
2007194091.tif 000004
【図３】
2007194091.tif 000005
【図４】
2007194091.tif 000006